(57)【要約】【課題】  ガスメータを支持するために支持具において、ガスメータが取り付けられる水平な取付板部の強度向上を図る。【解決手段】  固定板部２の上端部には、前方へ向かって水平に延びる取付板部３を設ける。取付板部３の左右両側部には、下方に向かって突出する補強板部４，４を取付板部３のほぼ全長にわたって設ける。各補強板部４の後端部は、固定板部２の前面に連結板部５を介して固定する。【選択図】図４
0003120292.tif 000002
【実用新案登録請求の範囲】
【請求項１】
上下方向に延びる固定板部と、この固定板部の前面に設けられ、固定板部から前方へ向かって水平に延びる取付板部とを備えたガスメータ用支持装置の支持具において、
上記取付板部の両側部に下方に向かって突出する補強板部を設け、各補強板部の後端部を上記固定板部に突き当てたことを特徴とするガスメータ用支持装置の支持具。
【請求項２】
上記固定板部、上記取付板部及び上記補強板部が一枚の金属板を曲げ加工することによって形成されていることを特徴とする請求項１に記載のガスメータ用支持装置の支持具。
【考案の詳細な説明】
【技術分野】
【０００１】
この考案は、ガスメータ用支持装置に用いられる支持具に関する。
【背景技術】
【０００２】
従来のこの種の支持具は、下記特許文献１に記載されているように、上下に延びる固定板部と、この固定板部の上端部から前方へ向かって水平に延びる取付板部とを有している。取付板部には、ガスメータが上流側接続管及び下流側接続管を介して取り付けられる。この場合、取付板部がガスメータの重量に耐えられるようにするために、取付板部の一側部には下方に突出する補強板部が設けられている。
【０００３】
【特許文献１】特開２００５−１１４５２４号公報
【考案の開示】
【考案が解決しようとする課題】
【０００４】
上記従来の支持具においては、補強板部が取付板部の一側部にしか設けられていないため、取付板部に作用する重量の左右のバランスが悪いと、取付板部が捩じられてしまい、その結果ガスメータが水平状態から外れてしまうという問題があった。
【０００５】
なお、このような問題を未然に解消するために、上記支持装置では、上流側接続管及び下流側接続管を家屋の外壁等に固定具で固定している。しかし、そのようにする場合には、各接続管を固定具で固定するための作業に多くの手間を要するという別の問題が生じてしまう。
【課題を解決するための手段】
【０００６】
この考案は、上記の問題を解決するために、上下方向に延びる固定板部と、この固定板部の前面に設けられ、固定板部から前方へ向かって水平に延びる取付板部とを備えたガスメータ用支持装置の支持具において、上記取付板部の両側部に下方に向かって突出する補強板部を設け、各補強板部の後端部を上記固定板部に突き当てたことを特徴としている。
この場合、上記固定板部、上記取付板部及び上記補強板部が一枚の金属板を曲げ加工することによって形成されていることが望ましい。
【考案の効果】
【０００７】
上記特徴構成を有するこの考案によれば、補強板部が取付板部の左右両側部に設けられているので、取付板部に作用する重量の左右のバランスが悪くても取付板部が捩られるような事態を確実に防止することができる。
【考案を実施するための最良の形態】
【０００８】
以下、この考案を実施するための最良の形態を、添付の図面を参照して説明する。
図１〜図４は、この考案の一実施の形態を示す。この実施の形態の支持具１は、１枚の金属板を折り曲げることによって形成されており、固定板部２、取付板部３及び補強板部４を有している。
【０００９】
固定板部２は、正面視略長方形をなしており、その長手方向を上下方向に向けた状態で配置されている。固定板部２の４隅部には、取付孔２ａが形成されている。各取付孔２ａには、固定手段、例えばビス（図示せず）が挿通される。そして、ビスを建物の外壁等にねじ込んで締め付けることにより、固定板部２が外壁等に固定されている。
【００１０】
固定板部２の前面の上端部には、固定板部２から前方へ向かって延びる取付板部３が設けられている。取付板部３は、平面視略長方形をなしており、水平に配置されている。取付板部３には、その中央部に長孔３ａが形成され、この長孔３ａを間にした前端部及び後端部に断面円径の貫通孔３ｂ，３ｃがそれぞれ形成されている。取付板部３は、固定板部２の前面の上下方向における中間部に配置してもよい。
【００１１】
取付板部３の左右両側部には、補強板部４が設けられている。補強板部４は、取付板部２の左右の両側部から下方に向かって突出しており、左右の両側部のほぼ全長にわたって設けられている。各補強板部４の後端部には、固定板部２の前面と対向する連結板部５が設けられている。そして、補強板部４の後端部が、固定板部２の前面に連結板部５を介して突き当てられている。したがって、取付板部２に下方を向く荷重が作用すると、その荷重を二つの補強板部４，４が支持する。なお、連結板部５は、固定板部２に溶接その他の手段によって固定されている。
【００１２】
上記構成の支持具１は、複数の金属板を溶接することによって製造することも可能であるが、ここでは一枚の金属板から製造されている。一枚の金属板から支持具１を製造する場合には、まず金属板を所定の形状寸法に裁断する。次に、固定板部２と取付板部３との間、取付板部３と補強板部４との間、及び補強板部４と連結板部５との間をそれぞれ直角に折り曲げる。その後、連結板部５を固定板部２に固定する。これによって、支持具１を製造することができる。
【００１３】
図５〜図７は、上記の支持具１が用いられたガスメータ用支持装置１０を示す。この支持装置１０は、上記支持具１の他に保持板１１、一次側接続管１２及び二次側接続管１３を備えている。
【００１４】
保持板１１は、平面視長方形状をなしており、その長手方向を左右方向に向けた状態で取付板部３の上面の前端部に載置されている。そして、保持板１１を貫通したボルト１４，１４を長孔３ａ及び貫通孔３ｂにそれぞれ挿通するとともに、各ボルト１４，１４にナット１５，１５を螺合させて締め付けることにより、保持板１１が取付板部３に固定されている。保持板１１は、取付板部３の後端部に配置してもよい。その場合には、ボルト１４，１４が長孔３ａ及び貫通孔３ｃにそれぞれ挿通される。
【００１５】
保持板１１の図５及び図６における左端部には、一次側接続管１２が取り付けられており、右端部には、二次側接続管１３が取り付けられている。一次側接続管１２の一次側端部（上流側端部）１２ａには、フレキシブル管からなる一次側ガス管（図示せず）が接続されており、二次側接続管１３の二次側端部（下流側端部）１３ａにはフレキシブル管等からなる二次側ガス管（図示せず）が接続されている。一次側接続管１２の二次側端部１２ｂには、ガスメータ（図示せず）のガス導入口が螺合固定され、二次側接続管１３の一次側端部１３ｂには、ガスメータのガス導出口が螺合固定されている。これにより、ガスメータが接続管１２，１３及び保持板１１を介して支持具１の取付板部３によって支持されている。勿論、取付板部３に作用するガスメータの重量は、補強板部４によって受け止められている。この場合、補強板部４が取付板部３の左右両側部に設けられているので、取付板部３はガスメータの重量を十分な強度をもって受け止めることができる。したがって、接続管１２，１３を建物の外壁等に固定手段で固定する必要がなく、その分だけガスメータの設置に要する手間を軽減することができる。しかも、取付板部３がガスメータの重量によって捩られることを二つの補強板部４，４が確実に阻止する。したがって、ガスメータを水平な状態で設置することができる。
【００１６】
なお、この考案は、上記の実施の形態に限定されるものでなく、その要旨を逸脱しない範囲において適宜変更可能である。
例えば、上記の実施の形態においては、一次側及び二次側接続管１２，１３を取付板部３に保持板１１を介して取り付けているが、取付板部３に直接取り付けてもよい。
また、補強板部４の後端部に連結板部５を設け、補強板部４の後端部を固定板部２に連結板部５を介して固定しているが、連結板部５を省き、補強板部４の後端面を固定板部２に直接固定してもよい。あるいは、連結板部５を固定板部２に固定するとともに、補強板部４の後端面を固定板部２に固定してもよい。
【図面の簡単な説明】
【００１７】
【図１】この考案に係る支持具の一実施の形態を示す正面図である。
【図２】同実施の形態の平面図である。
【図３】同実施の形態の側面図である。
【図４】同実施の形態の斜視図である。
【図５】図１〜図４に示す支持具が用いられたガスメータ用支持装置を示す正面図である。
【図６】同支持装置の平面図である。
【図７】同支持装置の側面図である。
【符号の説明】
【００１８】
１  支持具
２  固定板部
３  取付板部
４  補強板部
１０  ガスメータ用支持装置
【図１】
0003120292.tif 000003
【図２】
0003120292.tif 000004
【図３】
0003120292.tif 000005
【図４】
0003120292.tif 000006
【図５】
0003120292.tif 000007
【図６】
0003120292.tif 000008
【図７】
0003120292.tif 000009
【手続補正書】
【提出日】平成18年1月27日(2006.1.27)
【手続補正１】
【補正対象書類名】図面
【補正対象項目名】全図
【補正方法】変更
【補正の内容】
【図１】
0003120292.tif 000010
【図２】
0003120292.tif 000011
【図３】
0003120292.tif 000012
【図４】
0003120292.tif 000013
【図５】
0003120292.tif 000014
【図６】
0003120292.tif 000015
【図７】
0003120292.tif 000016